(57)【要約】      （修正有）【課題】ハウジングとソケットコンタクトとの間のより確実な接続を可能にする解決策を提供する。【解決手段】ハウジングと、レセプタクル（１１）を有するソケットコンタクト（１０）とを備えたソケットコンタクトアセンブリであって、レセプタクル（１１）内へプラグコンタクトを差込み方向（Ｓ）に差し込むことができ、ソケットコンタクト（１０）およびレセプタクル（１１）は、差込み方向（Ｓ）に交差する少なくとも１つの高さ方向（Ｈ）に広がることが可能になるように構成されており、ソケットコンタクトアセンブリは圧力嵌めアセンブリ（８０）を有し、圧力嵌めアセンブリ（８０）によって、広がった後にハウジングとソケットコンタクト（１０）との間に圧力嵌めが確立されることを特徴とする。【選択図】図２
2020031054.tif 000002
【特許請求の範囲】
【請求項１】
ハウジング（２）と、レセプタクル（１１）を有するソケットコンタクト（１０）とを備えたソケットコンタクトアセンブリ（１００）であって、
前記レセプタクル（１１）内へプラグコンタクト（１）を差込み方向（Ｓ）に差し込むことができ、前記ソケットコンタクト（１０）および前記レセプタクル（１１）は、前記差込み方向（Ｓ）に交差する少なくとも１つの高さ方向（Ｈ）に広がることが可能になるように構成されており、
前記ソケットコンタクトアセンブリ（１００）は圧力嵌めアセンブリ（８０）を有し、前記圧力嵌めアセンブリ（８０）によって、広がった後に前記ハウジング（２）と前記ソケットコンタクト（１０）との間に圧力嵌めが確立される、
ソケットコンタクトアセンブリ（１００）。
【請求項２】
前記圧力嵌めアセンブリ（８０）は、広がっていない状態では圧力嵌めを確立しない、
請求項１に記載のソケットコンタクトアセンブリ（１００）。
【請求項３】
前記ソケットコンタクトアセンブリ（１００）は、第１の形状嵌めアセンブリ（１１０）を有しており、
前記第１の形状嵌めアセンブリ（１１０）によって、広がっていない状態で前記ハウジング（２）と前記ソケットコンタクト（１０）との間に形状嵌めが確立される、
請求項１または２に記載のソケットコンタクトアセンブリ（１００）。
【請求項４】
前記ソケットコンタクトアセンブリ（１００）は、第２の形状嵌めアセンブリ（１２０）を有しており、
前記第２の形状嵌めアセンブリ（１２０）によって、広がった後に前記ハウジング（２）と前記ソケットコンタクト（１０）との間に形状嵌めが確立される、
請求項１から３のいずれか一項に記載のソケットコンタクトアセンブリ（１００）。
【請求項５】
前記圧力嵌めアセンブリ（８０）および／または前記第２の形状嵌めアセンブリ（１２０）は、前記ソケットコンタクト（１０）上に突起（６０）を備えている、
請求項１から４のいずれか一項に記載のソケットコンタクトアセンブリ（１００）。
【請求項６】
前記突起（６０）は、前記ソケットコンタクト（１０）の上面（１２）または下面（１３）と一体である、
請求項５に記載のソケットコンタクトアセンブリ（１００）。
【請求項７】
前記突起（６０）は、打抜きによって形成されている、
請求項５または６に記載のソケットコンタクトアセンブリ（１００）。
【請求項８】
前記突起は、前記高さ方向（Ｈ）に作用するばね力を生成するばね部（６１）を備えている、
請求項５から７のいずれか一項に記載のソケットコンタクトアセンブリ（１００）。
【請求項９】
前記ばね部（６１）は、ばねアーム（６２）を備えている、
請求項８に記載のソケットコンタクトアセンブリ（１００）。
【請求項１０】
前記突起（６０）が剛性を有している、
請求項５から９のいずれか一項に記載のソケットコンタクトアセンブリ（１００）。
【請求項１１】
広がった状態（５１）で、前記突起（６０）は、前記高さ方向（Ｈ）に沿って前記ハウジング（２）に引っ掛けられる、
請求項５から１０のいずれか一項に記載のソケットコンタクトアセンブリ（１００）。
【請求項１２】
力のかかっていない状態（５８）が、広がった状態（５１）である、
請求項１から１１のいずれか一項に記載のソケットコンタクトアセンブリ（１００）。
【請求項１３】
請求項１から１２のいずれか一項に記載のソケットコンタクトアセンブリ（１００）向けのソケットコンタクト（１０）。
【請求項１４】
請求項１から１２のいずれか一項に記載のソケットコンタクトアセンブリ（１００）と、
プラグコンタクト（１）と、を備えている、
プラグコンタクトアセンブリ（２００）。
【請求項１５】
前記プラグコンタクト（１）は、前記ソケットコンタクト（１０）を前記高さ方向（Ｈ）に広げる、
請求項１４に記載のプラグコンタクトアセンブリ（２００）。
【発明の詳細な説明】
【技術分野】
【０００１】
本発明は、ソケットコンタクトアセンブリ、ソケットコンタクト、およびプラグコンタクトアセンブリに関する。
【背景技術】
【０００２】
ソケットコンタクトには、多くの領域に適用分野がある。ソケットコンタクトは、たとえば電気信号を伝送する働きをし、プラグコンタクトを受け取るために装備される。ソケットコンタクトは通常、ハウジング内に配置される。
【発明の概要】
【発明が解決しようとする課題】
【０００３】
本発明の課題は、ハウジングとソケットコンタクトとの間のより確実な接続を可能にする解決策を提供することである。
【課題を解決するための手段】
【０００４】
本発明によれば、この課題は、ハウジングと、レセプタクルを有するソケットコンタクトとを備えたソケットコンタクトアセンブリであって、レセプタクル内へプラグコンタクトを差込み方向に差し込むことができ、ソケットコンタクトおよびレセプタクルは、差込み方向に交差する少なくとも１つの高さ方向に広がることが可能になるように構成されており、ソケットコンタクトアセンブリは圧力嵌めアセンブリを有し、圧力嵌めアセンブリによって、広がった後にハウジングとソケットコンタクトとの間に圧力嵌めが確立される、ソケットコンタクトアセンブリによって解決される。
【０００５】
本発明によるソケットコンタクトは、本発明によるソケットコンタクトアセンブリ向けに構成される。
【０００６】
本発明によるプラグコンタクトアセンブリは、本発明によるソケットコンタクトおよび／または本発明によるソケットコンタクトアセンブリ、ならびにプラグコンタクトを備えている。
【０００７】
広がった後に生じる圧力嵌めによって、ハウジングとソケットコンタクトとの間の接続がより確実になる。特に、プラグコンタクトアセンブリは、さらなる耐振動性を得ることができる。
【０００８】
本発明による解決策は、それぞれ本質的に有利であり、所望される場合は互いに組み合わせることができる、以下のさらなる展開例および構成によってさらに改善することができる。
【０００９】
簡単な取付けおよび簡単な解放を可能にするために、広がっていない状態では、圧力嵌めアセンブリによって圧力嵌めを確立することができない。
【００１０】
ソケットコンタクトアセンブリは、第１の形状嵌めアセンブリを有することができ、第１の形状嵌めアセンブリによって、確実な接続を得るために、広がっていない状態でハウジングとソケットコンタクトとの間に形状嵌めが確立される。
【００１１】
ソケットコンタクトアセンブリは、第２の形状嵌めアセンブリを有することができ、第２の形状嵌めアセンブリによって、広がった後にハウジングとソケットコンタクトとの間に形状嵌めが確立される。
【００１２】
第２の形状嵌めアセンブリは、圧力嵌めアセンブリのいくつかの部分を構成することができる。さらに、圧力嵌めアセンブリは、第２の形状嵌めアセンブリのいくつかの部分を構成することができる。このときこれらの要素は２重の機能を有しており、ソケットコンタクトアセンブリを特に小型にすることができる。
【００１３】
簡単な取付けおよび簡単な解放を可能にするために、広がっていない状態では、第２の形状嵌めアセンブリによって形状嵌めを確立することができない。
【００１４】
圧力嵌めアセンブリおよび／または第２の形状嵌めアセンブリは、広げることによって起動することができる。広がっていない状態から広がった状態へ遷移する場合、ハウジング上およびソケットコンタクト上の対応する圧力嵌め要素は、互いに相互作用して圧力嵌めを確立することができる。広がっていない状態から広がった状態へ遷移する場合、ハウジング上およびソケットコンタクト上の対応する形状嵌め要素は、互いに係合して形状嵌めを確立することができる。特に、これは自動的に生じることができる。
【００１５】
ソケットコンタクトは、高さ方向に互いに反対側に位置する上面および下面を有することができ、上面および下面は、広げられたとき、広がっていない状態より互いから大きい間隔を有する。上面と下面との間の高さは、広げることによって増大させることができる。特にこの高さはまた、プラグコンタクトを差し込むことによって増大させることができる。
【００１６】
簡単に作製することができる実施形態では、圧力嵌めアセンブリおよび／または第２の形状嵌めアセンブリは、ソケットコンタクト上に突起を備えることができる。
【００１７】
別法または追加として、圧力嵌めアセンブリおよび／または第２の形状嵌めアセンブリの場合、ハウジング上に突起が存在することもできる。
【００１８】
有利な構成では、突起は、ソケットコンタクトの上面または下面と一体とすることができる。これにより、取扱いおよび／または作製を簡略化することができる。
【００１９】
突起が打抜きによって形成される場合、突起は簡単なプロセスステップによって生成することができる。たとえば、突起は、上面もしくは下面から打ち抜くことができ、かつ／または上面もしくは下面の一部を形成することができる。
【００２０】
確実な接触を可能にするために、突起は、高さ方向に作用するばね力を生成するばね部を備えることができる。
【００２１】
特に、ばね部は、ばねアームを備えることができる。そのような構成により、ばね力に対する明確なパラメータを特に簡単に形成および供給することができる。
【００２２】
特に、ばねアームの自由端は、小型の構成を可能にするために、差込み方向に交差する方を向くことができる。ばねアームは、差込み方向に交差して延びることができる。
【００２３】
有利な構成では、ばね部は、互いの方を向いている２つのばねアームを備えることができる。そのような構成は、確実かつ簡単に作製することができる。
【００２４】
さらなる構成では、突起は剛性を有することができる。これにより、接続の確実な確立を可能にすることができる。
【００２５】
第１の形状嵌めおよび／または第２の形状嵌めは、差込み方向および／またはその逆方向に作用することができる。対応する形状嵌め要素は、差込み方向および／またはその逆方向の動きを阻止することができる。形状嵌め要素は特に、止め具とすることができる。
【００２６】
別法または追加として、第１の形状嵌めおよび／または第２の形状嵌めは、横断方向に作用することができ、横断方向は、差込み方向および／または高さ方向に対して斜めであり、特に直交している。これにより、確実性をさらに改善することができる。
【００２７】
有利な構成では、力のかかっていない状態を、広がった状態とすることができる。これによりたとえば、力が作用していない場合、ソケットコンタクトがハウジングとの形状嵌めを自動的に確立することを保証することができる。
【００２８】
別法として、広がっていない状態は、力を作用させることによって実現することができる。たとえばソケットコンタクトは、たとえば使用者または機械によって圧縮することができる。そのような圧縮された広がっていない状態で、ソケットコンタクトは、ハウジング内へ簡単に導入可能とすることができる。次いで力の作用が減少した場合、ソケットコンタクトとハウジングとの間で形状嵌めを自動的に得ることができる。
【００２９】
プラグコンタクトは、ソケットコンタクトを高さ方向に広げることができる。ソケットコンタクトはまず、プラグコンタクトによって広がった状態に移行することができる。プラグコンタクトがまだ導入されていない場合、ソケットコンタクトをさらに広げることはできない。特に、広がっていない状態は、力のかかっていない状態とすることができ、広がっていない状態では、ハウジングとソケットコンタクトとの間にいかなる形状嵌めおよび／または圧力嵌めもまだ存在しない。
【００３０】
別法として、力のかかっていない状態は、すでに広がった状態とすることができ、プラグコンタクトをともに差し込むことによって、ソケットコンタクトをさらに広げることもできる。次いで、第１の広がった状態ですでに存在している形状嵌めおよび／または圧力嵌めは、プラグコンタクトを導入することによってさらに改善することができる。
【００３１】
広がった状態で、接続をさらに改善し、特に振動挙動を改善するために、高さ方向に沿って突起をハウジングに引っ掛けることができる。広がっていない状態では、締付けが存在することができない。
【００３２】
構造的に簡単な構成では、広がった状態において、突起の外端に位置する１つの締付け面で、ソケットコンタクトをハウジングに引っ掛けることができる。これは、高さ方向に対する外端とすることができる。
【００３３】
さらなる構成では、圧力嵌めアセンブリおよび／または第２の形状嵌めアセンブリは、凹部を備えることができる。凹部は、たとえばハウジング上に配置することができる。別法として、凹部は、ソケットコンタクト上に配置することもできる。
【００３４】
ソケットコンタクトを広げることは、たとえばプラグコンタクトが導入されるとき、レセプタクルを広げることと同期して行うことができる。
【００３５】
簡単に広げることを可能にするために、ソケットコンタクトは、プラグコンタクトに対して法線方向の接触力を生成するばねデバイスを備えることができ、ばねデバイスは、少なくともコンタクト素子を取り囲むベース本体のいくつかの部分によって形成される。
【００３６】
特に、ベース本体の少なくとも１つの側壁を、ばねデバイスとして構成することができる。
【００３７】
本発明について、図面を参照して有利な構成に基づいて、例として以下により詳細に説明する。この例に示す有利なさらなる展開例および構成は、それぞれ互いに独立しており、特有の応用例においてどのように必要であるかに応じて、互いに自由に組み合わせることができる。
【図面の簡単な説明】
【００３８】
【図１】ケーブルに取り付けられたソケットコンタクトの第１の実施形態の概略斜視図である。
【図２】図１に示した第１の実施形態のベース本体の概略斜視図である。
【図３】図２に示したベース本体に属するコンタクト本体の概略斜視図である。
【図４】ソケットコンタクトの第２の実施形態についての概略斜視図である。
【図５】図４に示した第２の実施形態の詳細図である。
【図６】ハウジングおよびプラグコンタクトとともに示すソケットコンタクトのさらなる実施形態の概略断面図である。
【発明を実施するための形態】
【００３９】
ソケットコンタクト１０の第１の実施形態が、図１に示されている。ソケットコンタクト１０は、打抜きおよび曲げ加工によって金属薄板から形成されたベース本体３を備える。ソケットコンタクト１０の側壁６は、ばねデバイス７によって形成されており、ばねデバイス７は、上面１２が下面１３に対して高さ方向Ｈに沿って動くことを可能にする。ソケットコンタクト１０は、高さ方向Ｈに沿って広げたり圧縮したりすることができる。この場合は特に、プラグコンタクト１（図１にはそれほど詳細には示されていない）を差込み方向Ｓに沿ってソケットコンタクト１０内へ差し込むことができるレセプタクル１１の内幅も変わる。特に、プラグコンタクト１を導入することで、ソケットコンタクト１０およびレセプタクル１１が広げられ、それによって広がった状態へ移ることができる。
【００４０】
図１は、力のかかっていない状態５８を示しており、図示の例では、すでに第１の広がった状態５１である。プラグコンタクト１を導入することによって、ソケットコンタクト１０およびレセプタクル１１をさらに広げることができ、第２の広がった状態へ移ることができる。圧縮によって、たとえば上面１２および下面１３でともに押圧することによって、ソケットコンタクト１０を高さ方向Ｈに圧縮することができ、その結果、ハウジング２内へ導入することができる。この圧縮によって、ソケットコンタクト１０は広がっていない状態へ移ることができる。力が取り除かれた場合、ソケットコンタクト１０は、再び図示の第１の広がった状態５１へ自動的に戻ることができる。
【００４１】
代替構成では、図１の構成はまた、広がっていない状態５０に対応することができ、ソケットコンタクト１０はまず、プラグコンタクト１を差し込むことによって広がった状態へ移行することができる。
【００４２】
ソケットコンタクト１０は、導体８を有するケーブル５に取り付けられる。ソケットコンタクト１０を介して、プラグコンタクト１へ電気信号または電力を伝送することができる。
【００４３】
前面領域において、ソケットコンタクト１０は、ロック要素１１１を備えた第１の形状嵌めアセンブリ１１０を有する。この第１の形状嵌めアセンブリ１１０により、ソケットコンタクト１０を広がっていない状態で対応するハウジング２内に保持することが可能になる。ソケットコンタクト１０がハウジング２内へ導入されたとき、ロック要素１１１は自動的にロックされ、結果として形状嵌めを確立する。
【００４４】
ソケットコンタクト１０は、後面領域内に、第２の形状嵌めアセンブリ１２０をさらに保有する。第２の形状嵌めアセンブリ１２０は、広がった状態５１で形状嵌めを確立するように構成される。広がっていない状態では、第２の形状嵌めアセンブリ１２０の領域内にそのような形状嵌めが存在しておらず、したがってソケットコンタクト１０をハウジング２内へ、たとえば後壁内のスロットを通って、簡単に押し込むことができる。この場合、ソケットコンタクト１０は典型的に、差込み方向Ｓの逆方向にハウジング２内へ押し込まれる。第２の形状嵌めアセンブリ１２０は次いで、差込み方向Ｓおよびその逆方向に作用する形状嵌めを確立する。対照的に、第１の形状嵌めアセンブリ１１０における形状嵌めは、差込み方向Ｓにのみ作用する。
【００４５】
追加として、第１の形状嵌めアセンブリ１１０および第２の形状嵌めアセンブリ１２０上に、横断方向Ｑおよびその逆方向に作用する形状嵌め要素１５０が存在することができ、横断方向Ｑは、高さ方向Ｈおよび差込み方向Ｓに直交して延びる。その結果、ソケットコンタクト１０をハウジング２内でさらに良好に固定することができる。形状嵌め要素１５０は、止め面または突起を備えることができる。
【００４６】
第２の形状嵌めアセンブリ１２０は、ソケットコンタクト１０上に突起６０を備える。図示の実施形態では、突起６０は、上面１２に取り付けられており、高さ方向Ｈに上面１２に対して突出する。
【００４７】
突起６０は、上面１２と一体であり、打抜きまたはエンボス加工によって上面から形成されている。突起６０の図示の例はブリッジ構成を有し、ストリップ状部分が連続的に形成されている。
【００４８】
別法または追加として、突起６０は下面１３に存在することもでき、この突起６０は、形状嵌めアセンブリ１２０の一部である。
【００４９】
図１に示すソケットコンタクト１０はまた、図２に示すベース本体３の横に、図３に示すコンタクト本体４を備える。コンタクト本体４は、プラグコンタクト１に接触する働きをし、この目的でいくつかのコンタクト素子４０、４１を保有する。いくつかのコンタクト素子４０は、剛性のコンタクト素子４０として形成されており、さらなるコンタクト素子４１は、可撓性のコンタクト素子４１として形成され、コンタクト面を有しており、高さ方向Ｈの逆方向に撓むことができるようにタング上に配置される。
【００５０】
図１および図２に示す突起６０は、特に高さ方向Ｈに沿って、剛性に構成されており、すなわち実質的に可撓性をもたない。その結果、形状嵌めを特に確実にすることができる。
【００５１】
同時に突起６０は、圧力嵌めアセンブリ８０の一部であり、それによって、プラグコンタクト１がソケットコンタクト１０内へ導入された場合、ソケットコンタクト１０をハウジング２内に圧力嵌めで保持することができる。
【００５２】
図４〜図６は、ソケットコンタクト１０の第２の実施形態を示す。ここでも、ベース本体３の側壁６がばねデバイス７によって形成され、それによってソケットコンタクト１０およびレセプタクル１１が高さ方向Ｈに拡大することが可能になる。この場合ばねデバイス７は、相互に接続された脚部またはばねアームによって形成される。
【００５３】
第２の実施形態もまた、形状嵌め要素５１を備えた第１の形状嵌めアセンブリ１１１を、ロック要素１１１の形態で保有する。
【００５４】
同時に圧力嵌めアセンブリ８０に属する第２の形状嵌めアセンブリ１２０は、第１の実施形態の場合とはやや異なる形で構成される。第２の形状嵌めアセンブリ１２０はこの場合も、ベース本体３の上面１２から高さ方向Ｈに隔置される。しかしこの実施形態では、第２の形状嵌めアセンブリ１２０は、ばねの撓みを可能にする２つのばねアーム６２を保有する。２つのばねアーム６２は横断方向Ｑに沿って延び、互いの方を向いている。２つのばねアーム６２間には間隙が存在し、横断方向Ｑの形状嵌めを可能にするために、この間隙内へ、たとえばハウジング２の形状嵌め要素をロックすることができる。
【００５５】
図６は、ハウジング２内に配置されたソケットコンタクト１０を示す。２つの突起６０がそれぞれ、第２の形状嵌めアセンブリ１２０の一部および圧力嵌めアセンブリ８０の一部であり、図４および図５に示した実施形態よりそれぞれソケットコンタクト１０の上面１２または下面１３からさらに隔置されており、ハウジング２内のレセプタクルまたは凹部７０内へ突出している。その結果、ソケットコンタクト１０とハウジング２との間に、差込み方向Ｓに作用する形状嵌めが実現される。代替構成では、ハウジング２上にも突起が存在することができ、この突起は、ソケットコンタクト１０上の突起６０と相互作用し、結果として形状嵌めを生成する。
【００５６】
図６に示す状態は、この場合も第１の広がった状態５１であり、プラグコンタクト１を差込み方向Ｓにレセプタクル１１内へ押し込むことによって、第２の広がった状態５２へ移行することができる。この第２の広がった状態では、突起６０の外端６５に位置する締付け面６８を、レセプタクル７０内の対応する締付け面７８に引っ掛けることができ、その結果、圧力嵌めにより、ソケットコンタクト１０がハウジング２により強く連結されるため、振動挙動に好ましい影響を与えることができる。その結果、特にソケットコンタクト１０に対するプラグコンタクト１の動きを低減させることができ、したがってコンタクト面が受ける摩耗度がより低くなる。
【符号の説明】
【００５７】
１  プラグコンタクト
２  ハウジング
３  ベース本体
４  コンタクト部材
５  ケーブル
６  側壁
７  ばねデバイス
８  導体
１０  ソケットコンタクト
１１  レセプタクル
１２  上面
１３  下面
１５  高さ
４０  剛性のコンタクト素子
４１  可撓性のコンタクト素子
５０  広がっていない状態
５１  第１の広がった状態
５２  第２の広がった状態
５８  力のかかっていない状態
６０  ソケットコンタクト上の突起
６１  ばね部
６２  ばねアーム
６５  突起の外端
６８  締付け面
７０  ハウジング内の凹部
７８  締付け面
８０  圧力嵌めアセンブリ
１００  ソケットコンタクトアセンブリ
１１０  第１の形状嵌めアセンブリ
１１１  ロック要素
１２０  第２の形状嵌めアセンブリ
１５０  形状嵌め要素
２００  プラグコンタクトアセンブリ
Ｈ  高さ方向
Ｓ  差込み方向
Ｑ  横断方向
【図１】
2020031054.tif 000003
【図２】
2020031054.tif 000004
【図３】
2020031054.tif 000005
【図４】
2020031054.tif 000006
【図５】
2020031054.tif 000007
【図６】
2020031054.tif 000008
【外国語明細書】
2020031054000001.pdf